(57)【要約】【課題】リール装着部を把持して釣竿操作を行う場合、安定した把持が可能な釣竿を提供する。【解決手段】リール足載置部ＲＳの前後に対向配置され、リールＳＰの足ＲＡを保持するための１対のフード部材Ｆ１，Ｆ２を有する釣竿であって、少なくとも一方のフード部材の外周に、斑点状の複数個の凸部又は凹部を設けるか、或いは、概ね円周方向に延伸し、竿杆の長手方向に凹条と凸条とが交互に並んだ凹凸条部を設けるよう構成する。【選択図】        図１
2004194503.tif 000002
【特許請求の範囲】
【請求項１】
リール足載置部の前後に対向配置され、リールの足を保持するための１対のフード部材を有する釣竿であって、少なくとも一方のフード部材の外周に、斑点状の複数個の凸部又は凹部を設けるか、或いは、概ね円周方向に延伸し、竿杆の長手方向に凹条と凸条とが交互に並んだ凹凸条部を設けたことを特徴とする釣竿。
【発明の詳細な説明】
【０００１】
【発明の属する技術分野】
本発明はリール装着部を有する釣竿に関する。特に、スピニングルアーロッド等のスピニングリールを装着して使用する釣竿において発明の効果が高い。
【０００２】
【従来の技術】
本出願人による下記特許文献１では、スピニングリールを装着して人差し指等によるブレーキレバー操作や釣糸操作を行う際に、安定して操作できる釣竿を提供している。このため、中指や薬指や小指が把持する部位に上下方向に滑らないための長手方向指向の凹凸条を設けている。また、親指が斜め方向に滑らないための傾斜状膨出部も開示している。
【特許文献１】
特開２００１−１７８３２４号公報
【０００３】
【発明が解決しようとする課題】
然しながら、実際のルアーロッド等においては、上記釣糸操作やレバー付きのスピニングリール使用の際のレバー操作の際の操作性よりも、リール装着部を把持した投擲操作やポンピング操作の操作性の方が重要となる。この場合に、釣竿は把持した手から抜け出る方向に滑ろうとする。従って、リール装着部を把持してこれらの操作を行う場合、竿は各指に対して釣竿長手方向に滑ろうとして、把持の安定性に欠ける虞がある。
依って本発明では、こうした操作を重要とする考えの基に、安定した把持が可能な釣竿の提供を目的とする。
【０００４】
【課題を解決するための手段】
上記目的に鑑み本発明の請求項１では、リール足載置部の前後に対向配置され、リールの足を保持するための１対のフード部材を有する釣竿であって、少なくとも一方のフード部材の外周に、斑点状の複数個の凸部又は凹部を設けるか、或いは、概ね円周方向に延伸し、竿杆の長手方向に凹条と凸条とが交互に並んだ凹凸条部を設けたことを特徴とする釣竿を提供する。
【０００５】
リール装着部を把持した状態での投擲操作やポンピング操作の場合に、把持した手の指は竿の長手方向に滑ろうとするが、通常、把持した手の指はフード部材に掛かっているため、これに概ね円周方向に延伸し、竿の長手方向に凹条と凸条とが交互に並んだ凹凸条部、或いは斑点状の複数個（多数が好ましい）の凸部又は凹部を設けていると、滑りが防止されて把持が安定する。従って、操作性が向上する。
【０００６】
【発明の実施の形態】
以下、本発明を添付図面に示す実施形態例に基づき、更に詳細に説明する。
図１は本発明に係る釣竿としての、スピニングリールの使用を前提としたスピニングルアーロッドの要部側面図である。エポキシ樹脂等の合成樹脂をマトリックスとし、炭素繊維等の強化繊維で強化した繊維強化樹脂製竿杆１０の後部領域にハンドル部Ｇを設けている。このハンドル部の適宜位置にスピニングリールＳＰの脚の足ＲＡを載置させるリール足載置部ＲＳを設け、その前後に対向させて１対のフード部材Ｆ２，Ｆ１を配設している。
【０００７】
この例では、後側のフード部材Ｆ１は固定フードの部材であり、前側フード部材Ｆ２は移動フードの部材である。該移動フード部材Ｆ２の直前には、ナット部材Ｎが配設されている。この例では、移動フード部材Ｆ２は、ナット部材の回転によって前後に移動するが回転自体は拘束されている。しかし、回転しつつ前後移動する構造でもよい。
【０００８】
この例では、前後のフード部材両方の外周に、円周方向に延伸した凹条と凸条を長手方向に交互に配設した凹凸条部を形成している。図１に示すように手でリール装着部を把持して釣り操作を行う場合（スピニングルアーロッドではこれが多い）、リールの脚を中指と薬指とで挟む場合が一般的であるが、投擲操作やポンピング操作（獲物が掛かった場合の釣糸巻上げ時に限らず、所謂、合わせ操作時も含む）において、薬指（と小指）が後側フード部材Ｆ１を握り締め、親指が前側フード部材Ｆ２を押圧するようにして把持することが多い。上記凹凸条部の存在は、こうした把持による上記の釣竿操作時において、親指や薬指（と小指）の竿の長手方向の滑りを防止する。
【０００９】
上記凹凸条部の形態としては、図４〜図６に図示するように種々の形態が可能である。即ち、図４のように、凸条ＴＪの横断面形状が円形や楕円形等の一部のように滑らかな曲面形状であり、凹条ＭＪはそれらの間の空間であったり、図５のように、凸条ＴＪ’の横断面頂部の形状が平面状であって、全体として台形状であり、凹条ＭＪ’はそれらの間の空間であったり、図６のように、凸条ＴＪ”の横断面形状が山状であって、頂部が尖っており、凹条ＭＪ”はそれらの間の空間であったりである。
【００１０】
これら３種類の中でいえば、断面方向（竿の長手方向）の滑りの抵抗は図６の形態が最も大きくなり、図５の場合が小さくなる。然しながら、図６の場合は多少指が痛くなる場合があり、図５の場合は痛くなり難い。これらの調和のとれた形態が図４の形態である。また、こうした凹凸の高さ、即ち、凸部の最も高い位置と、凹部の最も低い位置との差は、０．２〜０．７ｍｍ程度が好ましい。
【００１１】
上記のフード部材の材料には、ステンレススティール、アルミニウム、繊維強化樹脂材、合成樹脂材等があるが、強度と耐久性からいえば、ステンレススティール、アルミニウム等の金属材が好ましい。
更には、本実施例と異なり、移動フード部材Ｆ２が前後に移動するのみならず、回転も可能な構造の場合は、これに設けた本発明に係る円周方向に延伸した凹条や凸条は、釣り操作中の指の動きによって、該移動フードを不用意に回転させることが防止でき、延いてはリール足の弛みを防止できる。また、上記例では、凹凸条部は前後のフード部材両方に設けているが、一方だけでもよい。また更に、固定フード部材が前側で、移動フード部材が後側に位置していてもよい。また、斑点状の凸部や凹部を複数個（多数個）設けてもよい。
【００１２】
図２は他の形態のスピニングルアーロッドの要部側面図である。この場合は、前後のフード部材Ｆ２’，Ｆ１’が共に移動フード部材である。図３に竿の長手方向に沿った縦断面図を略示しているが、共に円周方向に延伸した凹条と凸条を長手方向に交互に配設した凹凸条部を形成している（図３においては省略しているが、図４〜図６と同様な各種形態がある）。リール装着方法は、スピニングリールＳＰの足ＲＡに対して、例えば、各フード部材を親指と人差し指とで押し込むことによりリールを保持するが、この押し込み操作時の指の滑りが効果的に防止でき、足ＲＡを充分に固定できる。斑点状の凸部や凹部を複数個（多数個）設けてもよいことは同様である。
【００１３】
【発明の効果】
以上の説明から明らかなように本発明によれば、投擲操作やポンピング操作を重要とする考えの基に、安定した把持の可能な釣竿が提供可能となる。
【図面の簡単な説明】
【図１】図１は本発明に係る釣竿の要部側面図である。
【図２】図２は本発明に係る他の形態の釣竿の要部側面図である。
【図３】図３は図２の移動フードの略示縦断面図である。
【図４】図４は図１や図２のフード部材の要部拡大縦断面図であり、凸条や凹条の横断面を図示する。
【図５】図５は図４に代わる構造図である。
【図６】図６は図４に代わる他の構造図である。
【符号の説明】
１０                        竿杆
Ｆ１，Ｆ２                  フード部材
ＲＡ                        スピニングリールの足
ＲＳ                        リール足載置部
【図１】
2004194503.tif 000003
【図２】
2004194503.tif 000004
【図３】
2004194503.tif 000005
【図４】
2004194503.tif 000006
【図５】
2004194503.tif 000007
【図６】
2004194503.tif 000008